(57)【要約】【課題】  各床板材同士の接合部分の密着性を高めて接合部分の防水性を高め、しかも各床板材同士の接合作業が接着剤などを使用することなく簡単に行え、さらにその組み外し作業も簡単に行うことができ、また接合端面構造の素材をプラスチック等の防水素材にすることにより防水性を更に高めることのできる床板材の接合端面構造を提供することにある。【解決手段】  床板材１の接合端面側に装着溝４を形成し、装着溝４に雄型係合片２と該雄型係合片２と雌雄係合する雌型係合片３とを相対する側に装着し、雄型係合片２を主係合凸部２１、表面側接触部２２、副係合凹部２３、溝挿入部２４、溝挿入奥部２５、溝挿入係止部２６、裏面側溝前面部２７などで構成し、雌型係合片３を主係合凹部３１、表面側接触部３２、裏面側主係合凹部側枠部、副係合凸部３４、溝挿入部３５、溝挿入奥部３６、溝挿入係止部３７、裏面側溝前面部３８などで構成した。【選択図】        図１
0003102778.tif 000002
【実用新案登録請求の範囲】
【請求項１】
方形状の板状の床板材の接合端面側に装着溝を各々形成し、相対する装着溝の一方に雄型係合片を装着し他方に雄型係合片と雌雄係合する雌型係合片を装着する床板材の接合端面構造において、床板材の表面側の接合端面側に床板材同士の接合時に相互に密着する表面側接触面を形成すると共に表面側接触面の高さを床板材の表面側にしみ込ませる防水材のしみ込み高さとし、表面側接触面の下端から装着溝を接合端面に形成し、床板材の裏面側の接合端面側に上記表面側接触面の位置より後方側に位置する裏面側前端面を形成し、床板材同士の接合時に双方の裏面側前端面同士の間に所定の間隔を空け、
前記雄型係合片を、少なくとも、上記装着溝から前方に突出する主係合凸部と、主係合凸部の後部の上記表面側接触面寄りに位置し一部が表面側接触面と略同一面にあり且つ該表面側接触面より前方に突出しない前端面を有する表面側接触部と、主係合凸部の後部の表面側接触部の反対面側に位置し床板材の裏面側に向けて開口しその内側前端面が略垂直面に近い面を有する副係合凹部と、主係合凸部の後方側に位置する溝挿入部と、上記裏面側前端面の前方に位置する裏面側溝前面部とから構成し、
前記雌型係合片を、少なくとも、上記主係合凸部が挿入係止される主係合凹部と、主係合凹部の前部の上記表面側接触面寄りに位置し一部が表面側接触面と略同一面にあり且つ該表面側接触面より前方に突出しない前端面を有する表面側接触部と、主係合凹部の裏面側寄り側枠を構成し且つその前方側に突出し弾力性を有する裏面側主係合凹部側枠部と、主係合凹部の出入口側の裏面側主係合凹部側枠部に表面側に向けて突起し上記副係合凹部に係合されその後端面が上記副係合凹部の内側前端面と略同一傾斜角度を有する副係合凸部と、主係合凹部の一部を含み及びその後方側に位置する溝挿入部と、上記裏面側前端面の前方に位置する裏面側溝前面部とから構成し、前記装着溝の内面形状を前記雄型係合片及び雌型係合片の外形形状に対応する形状にしたことを特徴とする床板材の接合端面構造。
【請求項２】
方形状の板状の床板材の接合端面側に装着溝を各々形成し、相対する装着溝の一方に雄型係合片を装着し他方に雄型係合片と雌雄係合する雌型係合片を装着する床板材の接合端面構造において、床板材の表面側の接合端面側に床板材同士の接合時に相互に密着する表面側接触面を形成すると共に表面側接触面の高さを床板材の表面側にしみ込ませる防水材のしみ込み高さとし、表面側接触面の下端から装着溝を接合端面に形成し、床板材の裏面側の接合端面側に上記表面側接触面の位置より後方側に位置する裏面側前端面を形成し、床板材同士の接合時に双方の裏面側前端面同士の間に所定の間隔を空け、
前記雄型係合片を、上記装着溝から前方に突出しその表面側突出側面と裏面側突出側面とが床板材の表面側及び裏面側と平行な主係合凸部と、主係合凸部の後部の上記表面側接触面寄りに位置し一部が表面側接触面と略同一面にあり且つ該表面側接触面より前方に突出しない前端面を有しその後部側が床板材の表面側から離れる方向に傾斜する傾斜面を有する表面側接触部と、主係合凸部の後部の表面側接触部の反対面側に位置し床板材の裏面側に向けて開口しその内側前端面が略垂直面に近い面を有する副係合凹部と、主係合凸部の後方側に位置し床板材の表面側及び裏面側と平行な表面側側面と裏面側側面を有する溝挿入部と、床板材の裏面側寄り溝挿入部の後方に位置し床板材の表面側及び裏面側と平行な表面側側面と裏面側側面を有する溝挿入奥部と、溝挿入部の裏面側側面及び溝挿入奥部の裏面側側面の境界部分に床板材の裏面側に向けてＶ字型に突起する溝挿入係止部と、上記裏面側前端面の前方に位置する裏面側溝前面部とから構成し、
前記雌型係合片を、上記主係合凸部が挿入係止されその表面側内部側面と裏面側内部側面とが床板材の表面側及び裏面側と平行な主係合凹部と、主係合凹部の前部の上記表面側接触面寄りに位置し一部が表面側接触面と略同一面にあり且つ該表面側接触面より前方に突出しない前端面を有しその後部側が床板材の表面側から離れる方向に傾斜する傾斜面を有する表面側接触部と、主係合凹部の裏面側寄り側枠を構成し且つその前方側に突出し弾力性を有する裏面側主係合凹部側枠部と、主係合凹部の出入口側の裏面側主係合凹部側枠部に表面側に向けて突起し上記副係合凹部に係合されその後端面が上記副係合凹部の内側前端面と略同一傾斜角度を有する副係合凸部と、主係合凹部の一部を含み及びその後方側に位置し床板材の表面側及び裏面側と平行な表面側側面と裏面側側面を有する溝挿入部と、床板材の裏面側寄り溝挿入部の後方に位置し床板材の表面側及び裏面側と平行な表面側側面と裏面側側面を有する溝挿入奥部と、溝挿入部の裏面側側面及び溝挿入奥部の裏面側側面の境界部分に床板材の裏面側に向けてＶ字型に突起する溝挿入係止部と、上記裏面側前端面の前方に位置する裏面側溝前面部とから構成し、前記装着溝の内面形状を前記雄型係合片及び雌型係合片の外形形状に対応する同一形状にしたことを特徴とする床板材の接合端面構造。
【考案の詳細な説明】
【技術分野】
【０００１】
この考案は、床板材同士を接合する場合における各床板材の接合端面構造に係り、特に、各床板材同士の接合部分の密着性を高めて接合部分の防水性を高める床板材の接合端面構造に関するものである。
【背景技術】
【０００２】
床板材の表面には防水加工されたものがある。防水加工は広いサイズの床板材の表面に防水樹脂をしみ込ませて行われ、その後広いサイズの床板材を所定のサイズに切断している。このため、切断後の各床板材は、表面は防水加工されているが切断端面には防水加工されていない。この場合、切断後の各床板材の切断端面に防水樹脂をしみ込ませることが考えられるが、簡単に行うことができず、コストが非常に高くなる。その結果、床板材は表面は防水性があるが、床板材の切断端面つまり各床板材同士を接合する場合に接合箇所となる接合端面には防水性がない。
一方、各床板材同士を現場で接合する場合に各床板材同士の接合作業が簡単にしかも良好に行えるように、各床板材の接合端面には各々雄型係合片と雌型係合片が取り付けられ、雌雄係合により簡単に接合する構造になっているものがある。
【考案の開示】
【考案が解決しようとする課題】
【０００３】
しかしながら、表面に防水加工され接合端面に各々雄型係合片と雌型係合片が取り付けられた床板材同士を接合した場合、各床板材同士の接合部分の防水性が十分でないという問題があった。
【０００４】
この考案は、上記のような課題に鑑み、その課題を解決すべく創案されたものであって、その目的とするところは、各床板材同士の接合部分の密着性を高めて接合部分の防水性を高め、しかも各床板材同士の接合作業が接着剤などを使用することなく簡単に行え、さらにその組み外し作業も簡単に行うことができ、また接合端面構造の素材をプラスチック等の防水素材にすることにより防水性を更に高めることのできる床板材の接合端面構造を提供することにある。
【課題を解決するための手段】
【０００５】
以上の目的を達成するために、請求項１の考案は、方形状の板状の床板材の接合端面側に装着溝を各々形成し、相対する装着溝の一方に雄型係合片を装着し他方に雄型係合片と雌雄係合する雌型係合片を装着する床板材の接合端面構造において、床板材の表面側の接合端面側に床板材同士の接合時に相互に密着する表面側接触面を形成すると共に表面側接触面の高さを床板材の表面側にしみ込ませる防水材のしみ込み高さとし、表面側接触面の下端から装着溝を接合端面に形成し、床板材の裏面側の接合端面側に上記表面側接触面の位置より後方側に位置する裏面側前端面を形成し、床板材同士の接合時に双方の裏面側前端面同士の間に所定の間隔を空け、前記雄型係合片を、少なくとも、上記装着溝から前方に突出する主係合凸部と、主係合凸部の後部の上記表面側接触面寄りに位置し一部が表面側接触面と略同一面にあり且つ該表面側接触面より前方に突出しない前端面を有する表面側接触部と、主係合凸部の後部の表面側接触部の反対面側に位置し床板材の裏面側に向けて開口しその内側前端面が略垂直面に近い面を有する副係合凹部と、主係合凸部の後方側に位置する溝挿入部と、上記裏面側前端面の前方に位置する裏面側溝前面部とから構成し、前記雌型係合片を、少なくとも、上記主係合凸部が挿入係止される主係合凹部と、主係合凹部の前部の上記表面側接触面寄りに位置し一部が表面側接触面と略同一面にあり且つ該表面側接触面より前方に突出しない前端面を有する表面側接触部と、主係合凹部の裏面側寄り側枠を構成し且つその前方側に突出し弾力性を有する裏面側主係合凹部側枠部と、主係合凹部の出入口側の裏面側主係合凹部側枠部に表面側に向けて突起し上記副係合凹部に係合されその後端面が上記副係合凹部の内側前端面と略同一傾斜角度を有する副係合凸部と、主係合凹部の一部を含み及びその後方側に位置する溝挿入部と、上記裏面側前端面の前方に位置する裏面側溝前面部とから構成し、前記装着溝の内面形状を前記雄型係合片及び雌型係合片の外形形状に対応する形状にした手段よりなるものである。
【０００６】
また、請求項２の考案は、方形状の板状の床板材の接合端面側に装着溝を各々形成し、相対する装着溝の一方に雄型係合片を装着し他方に雄型係合片と雌雄係合する雌型係合片を装着する床板材の接合端面構造において、床板材の表面側の接合端面側に床板材同士の接合時に相互に密着する表面側接触面を形成すると共に表面側接触面の高さを床板材の表面側にしみ込ませる防水材のしみ込み高さとし、表面側接触面の下端から装着溝を接合端面に形成し、床板材の裏面側の接合端面側に上記表面側接触面の位置より後方側に位置する裏面側前端面を形成し、床板材同士の接合時に双方の裏面側前端面同士の間に所定の間隔を空け、前記雄型係合片を、上記装着溝から前方に突出しその表面側突出側面と裏面側突出側面とが床板材の表面側及び裏面側と平行な主係合凸部と、主係合凸部の後部の上記表面側接触面寄りに位置し一部が表面側接触面と略同一面にあり且つ該表面側接触面より前方に突出しない前端面を有しその後部側が床板材の表面側から離れる方向に傾斜する傾斜面を有する表面側接触部と、主係合凸部の後部の表面側接触部の反対面側に位置し床板材の裏面側に向けて開口しその内側前端面が略垂直面に近い面を有する副係合凹部と、主係合凸部の後方側に位置し床板材の表面側及び裏面側と平行な表面側側面と裏面側側面を有する溝挿入部と、床板材の裏面側寄り溝挿入部の後方に位置し床板材の表面側及び裏面側と平行な表面側側面と裏面側側面を有する溝挿入奥部と、溝挿入部の裏面側側面及び溝挿入奥部の裏面側側面の境界部分に床板材の裏面側に向けてＶ字型に突起する溝挿入係止部と、上記裏面側前端面の前方に位置する裏面側溝前面部とから構成し、前記雌型係合片を、上記主係合凸部が挿入係止されその表面側内部側面と裏面側内部側面とが床板材の表面側及び裏面側と平行な主係合凹部と、主係合凹部の前部の上記表面側接触面寄りに位置し一部が表面側接触面と略同一面にあり且つ該表面側接触面より前方に突出しない前端面を有しその後部側が床板材の表面側から離れる方向に傾斜する傾斜面を有する表面側接触部と、主係合凹部の裏面側寄り側枠を構成し且つその前方側に突出し弾力性を有する裏面側主係合凹部側枠部と、主係合凹部の出入口側の裏面側主係合凹部側枠部に表面側に向けて突起し上記副係合凹部に係合されその後端面が上記副係合凹部の内側前端面と略同一傾斜角度を有する副係合凸部と、主係合凹部の一部を含み及びその後方側に位置し床板材の表面側及び裏面側と平行な表面側側面と裏面側側面を有する溝挿入部と、床板材の裏面側寄り溝挿入部の後方に位置し床板材の表面側及び裏面側と平行な表面側側面と裏面側側面を有する溝挿入奥部と、溝挿入部の裏面側側面及び溝挿入奥部の裏面側側面の境界部分に床板材の裏面側に向けてＶ字型に突起する溝挿入係止部と、上記裏面側前端面の前方に位置する裏面側溝前面部とから構成し、前記装着溝の内面形状を前記雄型係合片及び雌型係合片の外形形状に対応する同一形状にした手段よりなるものである。
【考案の効果】
【０００７】
以上の記載より明らかなように、この考案に係る床板材の接合端面構造によれば、各床板材同士の接合部分の密着性を高めて接合部分の防水性を高めることができる。しかも各床板材同士の接合作業が接着剤などを使用することなく簡単に行うことができる。さらに接着剤によって各床板材同士を接合していないため、各床板材同士の組み外し作業も簡単に行うことができる等、極めて実用的有益なる効果を奏するものである。
【考案を実施するための最良の形態】
【０００８】
以下、図面に記載の考案を実施するための最良の形態に基づいて、この考案をより具体的に説明する。
ここで、図１は床板材の接合端面側の装着溝に装着された雄型係合片と雌型係合片の雌雄係合状態を示す断面図、図２は床板材の平面図、図３は雄型係合片の断面図、図４は雌型係合片の断面図、図５は床板材の接合端面側に形成された装着溝の断面図、図６（Ａ）〜（Ｄ）は床板材同士の接合過程を示す断面図、図７（Ａ）〜（Ｄ）は床板材同士の組み外し過程を示す断面図である。
【０００９】
図において、床板材１は平面から見て方形状例えば長方形の板状の形状からなり、床板材１の表面側１１には防水材としての例えば防水樹脂をしみ込ませて防水加工されている。床板材１の表面側１１は床に床板材１を敷設した場合には床板材１の上面となる部分である。また、床板材１の裏面側１２は床に床板材１を敷設した場合には床板材１の下面となる部分であるが、この裏面側１２には必要に応じて適宜防水シートが貼り付けられる。
【００１０】
例えば長方形の板状の形状からなる床板材１の４つの接合端面側１ａには雌雄係合する雄型係合片２と雌型係合片３とが装着される装着溝４が各々形成されている。このうち、互いに相対する平行な接合端面側１ａに形成された装着溝４の一方には雌雄係合用の雄型係合片２が装着溝４に沿って装着され、他方には雄型係合片２と雌雄係合する雌型係合片３が装着溝４に沿って装着されている。
【００１１】
床板材１の接合端面側１ａの装着溝４に装着された雄型係合片２は隣設される隣の床板材１の接合端面側１ａの装着溝４に装着された雌型係合片３と雌雄係合して接合する構造になっている。同様に床板材１の接合端面側１ａに形成された雌型係合片３は隣設される隣の床板材１の接合端面側１ａの装着溝４に装着された雄型係合片２と雌雄係合して接合する構造になっている。
【００１２】
雄型係合片２は、雌型係合片３の主係合凹部３１に挿入して雌雄係合する主係合凸部２１、図で主係合凸部２１の後部の上部側に位置する表面側接触部２２、図で主係合凸部２１の後部の下部側に位置する副係合凹部２３、主係合凸部２１の後方側に位置する溝挿入部２４、溝挿入部２４の後部の溝挿入奥部２５、溝挿入係止部２６、裏面側溝前面部２７などから構成されている。この雄型係合片２は例えばプラスチック材から造られる。
【００１３】
主係合凸部２１は雌型係合片３の主係合凹部３１に挿入して雌雄係合する部分である。主係合凸部２１は装着溝４より前方に突出する箇所に位置しており、図において、主係合凸部２１の上面側となる表面側突出側面２１ａと、主係合凸部２１の下面側となる裏面側突出側面２１ｂとは表面側１１や裏面側１２と平行面になるようにそれぞれ形成されている。主係合凸部２１の最も突出する前端面２１ｃは図において上側となる表面側突出側面２１ａの前端側から下側となる裏面側突出側面２１ｂの前端側に向かって斜め下向きに急傾斜した傾斜面に形成されている。前端面２１ｃの上端側及び下端側は円弧状の丸みを帯びた形状に形成されている。主係合凸部２１は側面から見て横長な形状をしている。
【００１４】
表面側１１寄りの装着溝４の内部に位置する表面側接触部２２は、図において主係合凸部２１の後部の上部側に位置している。表面側接触部２２の前端面２２ａは、最も表面側１１寄りとなる上端が表面側１１の前端面となる表面側接触面１１と同一面内に位置しており、主係合凸部２１側に向かってつまり図で下側に向かって少し装着溝４の内部側寄りに引っ込む内向き傾斜面に形成されている。又前端面２２ａの下端側つまり主係合凸部２１の表面側突出側面２１ａの後端側と交わる側は凹型の円弧状の丸みを帯びた形状に形成されている。上部表面側接触部２２はその前端面２２ａの最も表面側１１寄りとなる上端側が、雌型係合片３と雌雄係合時に雌型係合片３の表面側接触部の前端面の最も表面側１１寄りとなる上端側と接触する。図で表面側接触部２２の上部側つまり装着溝４の内面側と面する側のうち、最も表面側１１寄りのとなる上端部分は円弧状の丸みを帯び、後方つまり装着溝４の内部側に向かって図で斜め下向きに傾斜する傾斜面２２ｂに形成されている。
【００１５】
表面側１１と裏面側１２の中間部位に位置する副係合凹部２３は、雌型係合片３の副係合凸部が挿入して雌雄係合する部分で、図において主係合凸部２１の後部の下部側に形成されている。副係合凹部２３は裏面側１２に臨む側つまり図では下側に向けて開口している。副係合凹部２３の内側前端面２３ａは、主係合凸部２１の裏面側突出側面２１ｂとの接点となる下端が表面側１１の前端面となる表面側接触面１１ａと略同一面内に位置しており、表面側１１に向かってつまり図で上側に向かって少し装着溝４の内部側寄りの傾斜面に形成されている。図で内部上面となる副係合凹部２３の奥端面２３ｂは表面側１１や裏面側１２と平行になるように形成されている。図で内部後部傾斜面となる副係合凹部２３の後部傾斜面２３ｃは、後方つまり装着溝４の内部側に向かって図で斜め下向きに傾斜する傾斜面に形成されている。
【００１６】
表面側１１と裏面側１２との中間部位の装着溝４の内部に位置する溝挿入部２４は、装着溝４の内部に挿入されて保持される部分で、図において主係合凸部２１、表面側接触部２２及び副係合凹部２３の後方に形成されている。溝挿入部２４には、図で上部側となる表面側１１寄り部分に表面側１１に平行な表面側側面２４ａが形成されている。表面側側面２４ａはその前端が前記表面側接触部２２の傾斜面２２ｂの後端と接している。溝挿入部２４の後部側のうち、図で上側となる傾斜面２２ｂの後端と接する表面側１１寄り側部分は、装着溝４の内部側に向かって僅かに傾斜する傾斜面２４ｂに形成されている。即ち、傾斜面２４ｂは図で上端から下端に向かって僅かに装着溝４の内部側に傾斜している。図で表面側側面２４ａの後端と傾斜面２４ｂの上端とが接する部分は円弧状の丸みを帯びた形状に形成されている。溝挿入部２４には、図で下部側となる裏面側１２寄り側部分に裏面側１２に平行な裏面側側面２４ｃが形成されている。
【００１７】
また、溝挿入部２４の後部側のうち、図で下側となる裏面側１２寄り側部分には、装着溝４の内部側に向かって突起する溝挿入奥部２５が形成されている。溝挿入奥部２５には、図で上部側となる表面側１１と裏面側１２の中間部分に表面側１１及び裏面側１２に平行な表面側側面２５ａが形成されている。表面側側面２５ａはその前端が前記傾斜面２４ｂの下端と接している。装着溝４の奥端側となる溝挿入奥部２５の後端面２５ｂは、後方つまり装着溝４の奥側に向かって円弧型Ｖ字状に形成されている。また、溝挿入奥部２５には、図で下部側となる裏面側１２寄り側部分に裏面側１２に平行な裏面側側面２５ｃが形成されている。この裏面側側面２５ｃは前記溝挿入部２４の裏面側側面２４ｃと同一平面にある。
【００１８】
溝挿入奥部２５の裏面側側面２５ｃと溝挿入部２４の裏面側側面２４ｃとの境界部分には、裏面側１２に向けてＶ字型に突起する溝挿入係止部２６が形成されている。溝挿入係止部２６は装着溝４の側面に形成された係止凹部に係止されて雄型係合片２が装着溝４から抜け出るのを防ぐ機能を果たす。
【００１９】
裏面側溝前面部２７は裏面側１２の裏面側前端面１２ａの前方に位置している。図において裏面側溝前面部２７は溝挿入部２４の下側に位置している。裏面側溝前面部２７の前端面２７ａは表面側１１及び裏面側１２に直角な垂直平面に形成されている。図で前端面２７ａの上端は副係合凹部２３の後方側の裏面側突出側面２１ｂと同一平面の後端と接しており、この接する部分は凹型の円弧状の丸みを帯びた形状に形成されている。この裏面側溝前面部２７の前端面２７ａは、表面側接触部２２の前端面２２ａより後方に位置していて、表面側接触部２２の傾斜面２２ｂの後端と溝挿入部２４の表面側側面２４ａの前端が接する位置と略同じ垂直平面（表面側１１及び裏面側１２に直角な垂直平面）に位置している。また、図で下端面となる裏面側溝前面部２７の先端面２７ｂは裏面側１２と同一面になるように形成されている。裏面側溝前面部２７の後端面２７ｃは裏面側前端面１２ａに面しており、裏面側前端面１２ａと平行な面に形成されている。
【００２０】
雌型係合片３は、雄型係合片２の主係合凸部２１が挿入して雌雄係合する主係合凹部３１、図で主係合凹部３１の前部の上部側に位置する表面側接触部３２、図で主係合凹部３１の前半部側及びその前方側部分に位置する裏面側主係合凹部側枠部３３、裏面側主係合凹部側枠部３３の前部側に位置する副係合凸部３４、主係合凹部３１の後部及びその後方側に位置する溝挿入部３５、溝挿入部３５の後部の溝挿入奥部３６、溝挿入係止部３７、裏面側溝前面部３８などから構成されている。この雌型係合片３は例えばプラスチック材から造られる。
【００２１】
主係合凹部３１は雄型係合片２の主係合凸部２１が挿入して雌雄係合する部分である。主係合凹部３１は表面側１１の前端面である表面側接触面１１ａより装着溝４の内部側に引っ込む箇所に位置しており、図において、主係合凹部３１の内部上面側となる表面側内部側面３１ａの後半側と、主係合凹部３１の内部下面側となる裏面側内部側面３１ｂとは表面側１１や裏面側１２と平行面になるようにそれぞれ形成されている。表面側内部側面３１ａの後半側と裏面側内部側面３１ｂとの間隔は主係合凸部２１の表面側突出側面２１ａと裏面側突出側面２１ｂとの間隔より僅かに大きい程度である。表面側内部側面３１ａの前半側は僅かに表面側１１に向かって傾斜拡大していて、主係合凸部２１が挿入し易いようになっている。主係合凹部３１の内部奥端面３１ｃは図において上側となる表面側内部側面３１ａの後端側から下側となる裏面側内部側面３１ｂの後端側に向かって斜め下向きに急傾斜した傾斜面に形成されている。内部奥端面３１ｃの上端側及び下端側は円弧状の丸みを帯びた形状に形成されている。主係合凹部３１は側面から見て横長な穴形状をしている。
【００２２】
表面側１１寄りの装着溝４の内部に位置する表面側接触部３２は、図において主係合凹部３１の前部の上部側に位置している。表面側接触部３２の前端面３２ａは、最も表面側１１寄りとなる上端が表面側１１の前端面となる表面側接触面１１と同一面内に位置しており、主係合凹部３１側に向かってつまり図で下側に向かって少し装着溝４の内部側寄りに引っ込む内向き傾斜面に形成されている。又前端面３２ａの下端側つまり主係合凹部３１の表面側内部側面３１ａの前端と接する側は円弧状の丸みを帯びた形状に形成されている。表面側接触部３２はその前端面３２ａの最も表面側１１寄りとなる上端側が、雄型係合片２と雌雄係合時に雄型係合片２の表面側接触部２２の前端面２２ａの最も表面側１１寄りとなる上端側と接触する。図で表面側接触部３２の上部側つまり装着溝４の内面側と面する側のうち、最も表面側１１寄りのとなる上端部分は円弧状の丸みを帯び、後方つまり装着溝４の内部側に向かって図で斜め下向きに傾斜する傾斜面３２ｂに形成されている。
【００２３】
裏面側主係合凹部側枠部３３は、図で主係合凹部３１の下部の前半側及びその前方側を構成する枠であり、図で裏面側主係合凹部側枠部３３の上面は主係合凹部３１の裏面側内部側面３１ｂを構成している。裏面側主係合凹部側枠部３３はその前半側が装着溝４より前方に突出している。裏面側主係合凹部側枠部３３はその根元側を中心に裏面側１２に開き又閉じる弾性を有していて、この裏面側主係合凹部側枠部３３が開閉することによって、雄型係合片２の主係合凸部２１が主係合凹部３１の内部に挿入及びその内部から抜け出ることが出来る構造になっている。
【００２４】
弾性を有する裏面側主係合凹部側枠部３３の前半の装着溝４より突出する箇所には副係合凸部３４が形成されている。副係合凸部３４は裏面側主係合凹部側枠部３３の上面となる裏面側内部側面３１ｂから表面側１１に向けてつまり図で上側に向けて突出形成されている。この副係合凸部３４は雄型係合片２に形成された副係合凹部２３に挿入して雌雄係合する部分である。副係合凸部３４の後端面３４ａは、主係合凹部３１の裏面側内部側面３１ｂとの接点となる下端が表面側１１の前端面となる表面側接触面１１と略同一面内に位置しており、表面側１１に向かってつまり図で上側に向かって少し装着溝４から外側寄りの傾斜面に形成されている。図で上面となる副係合凸部３４の凸側面３４ｂは表面側１１や裏面側１２と平行になるように形成されている。図で前部傾斜面となる副係合凸部３４の前部傾斜面３４ｃは、前方つまり装着溝４の外側に向かって図で斜め下向きに傾斜する傾斜面に形成されている。
【００２５】
表面側１１と裏面側１２との中間部位の装着溝４の内部に位置する溝挿入部３５は、装着溝４の内部に挿入されて保持される部分で、図において表面側接触部３２及び副係合凸部３４の後方に形成されている。この溝挿入部３５の内部には前記主係合凹部３１の前半側が挿入して形成されている。溝挿入部３５には、図で上部側となる表面側１１寄り部分に表面側１１に平行な表面側側面３５ａが形成されている。表面側側面３５ａはその前端が前記表面側接触部３２の傾斜面３２ｂの後端と接している。溝挿入部３５の後部側のうち、図で上側となる傾斜面３２ｂの後端と接する表面側１１寄り側部分は、装着溝４の内部側に向かって僅かに傾斜する傾斜面３５ｂに形成されている。即ち、傾斜面３５ｂは図で上端から下端に向かって僅かに装着溝４の内部側に傾斜している。図で表面側側面３５ａの後端と傾斜面３５ｂの上端とが接する部分は円弧状の丸みを帯びた形状に形成されている。溝挿入部３５には、図で下部側となる裏面側１２寄り側部分に裏面側１２に平行な裏面側側面３５ｃが形成されている。
【００２６】
また、溝挿入部３５の後部側のうち、図で下側となる裏面側１２寄り側部分には、装着溝４の内部側に向かって突起する溝挿入奥部３６が形成されている。溝挿入奥部３６には、図で上部側となる表面側１１と裏面側１２の中間部分に表面側１１及び裏面側１２に平行な表面側側面３６ａが形成されている。表面側側面３６ａはその前端が前記傾斜面３５ｂの下端と接している。装着溝４の奥端側となる溝挿入奥部３６の後端面３６ｂは、後方つまり装着溝４の奥側に向かって円弧型Ｖ字状に形成されている。また、溝挿入奥部３６には、図で下部側となる裏面側１２寄り側部分に裏面側１２に平行な裏面側側面３６ｃが形成されている。この裏面側側面３６ｃは前記溝挿入部３５の裏面側側面３５ｃと同一平面にある。
【００２７】
溝挿入奥部３６の裏面側側面３６ｃと溝挿入部３５の裏面側側面３５ｃとの境界部分には、裏面側１２に向けてＶ字型に突起する溝挿入係止部３７が形成されている。溝挿入係止部３７は装着溝４の側面に形成された係止凹部に係止されて雌型係合片３が装着溝４から抜け出るのを防ぐ機能を果たす。
【００２８】
裏面側溝前面部３８は裏面側前端面１２ａの前方に位置している。図において裏面側溝前面部３８は溝挿入部３５の下側に位置している。裏面側溝前面部３８の前端面３８ａは表面側１１及び裏面側１２に直角な垂直平面に形成されている。図で前端面３８ａの上端は裏面側主係合凹部側枠部３３の後端と接しており、この接する部分は凹型の円弧状の丸みを帯びた形状に形成されている。この裏面側溝前面部３８の前端面３８ａは、表面側接触部３２の前端面３２ａより後方に位置している。また、図で下端面となる裏面側溝前面部３８の先端面３８ｂは裏面側１２と同一面になるように形成されている。裏面側溝前面部３８の後端面３８ｃは裏面側前端面１２ａに面しており、裏面側前端面１２ａと平行な面に形成されている。
【００２９】
装着溝４は、雄型係合片２及び雌型係合片３が装着される箇所で、例えば長方形の板状の床板材１の４箇所の接合端面側１ａに各々形成されている。また、雄型係合片２と雌型係合片３が装着される装着溝４の断面形状は全く同一である。
【００３０】
床板材１の表面側１１の前端面である表面側接触面１１ａは、表面側１１に対して直角な平面であり、また平面からみて一直線状に形成されている。表面側接触面１１ａの高さは例えば0.5mm前後であり、この0.5mm前後の高さの表面側接触面１１ａには前記の防水材としての例えば防水樹脂がしみ込んでいて、表面側接触面１１ａから水がしみ込むのを防いでいる。図で表面側接触面１１ａの下方側の床板材１の接合端面側１ａに装着溝４が形成されている。
【００３１】
図において、装着溝４は、表面側接触面１１ａの下端にその上端が接する溝前部傾斜面４１、表面側溝内側面４２、溝内傾斜面４３、溝内奥部側面４４、溝内奥端面４５、裏面側溝内奥部側面４６、溝内係止凹部４７、及び裏面側前端面１２ａの上端とその前端が接する裏面側溝内前部側面４８によって、内面が形成されている。装着溝４の内面とこれに装着される雄型係合片２及び雌型係合片３の外面との隙間には接着剤が充填されている。
【００３２】
即ち、前記溝前部傾斜面４１は傾斜上端が表面側接触面１１ａの下端と接している。溝前部傾斜面４１は装着溝４の内部側に向かって斜め下向きに傾斜している。この溝前部傾斜面４１には、雄型係合片２の表面側接触部２２の傾斜面２２ｂと溝挿入部２４の表面側側面２４ａの前端側、及び雌型係合片３の表面側接触部３２の傾斜面３２ｂと溝挿入部３５の表面側側面３５ａの前端側が面している。傾斜面２２ｂ、傾斜面３２ｂに対して溝前部傾斜面４１の傾斜は少し緩やかになっている。
【００３３】
溝前部傾斜面４１の傾斜下端には表面側溝内側面４２の前端が接している。表面側溝内側面４２は表面側１１と平行な面に形成されている。この表面側溝内側面４２には、雄型係合片２の溝挿入部２４の表面側側面２４ａと雌型係合片３の溝挿入部３５の表面側側面３５ａとが臨んでいる。
【００３４】
表面側溝内側面４２の後端には溝内傾斜面４３の上端が接している。溝内傾斜面４３は装着溝４の内部側に向かって垂直面に近い斜め下向きに傾斜している。この溝内傾斜面４３には、雄型係合片２の溝挿入部２４の傾斜面２４ｂと雌型係合片３の溝挿入部３５の傾斜面３５ｂが面している。
【００３５】
溝内傾斜面４３の下端には溝内奥部側面４４の前端が接している。溝内奥部側面４４は表面側１１や裏面側１２と平行な面に形成されている。この溝内奥部側面４４には、雄型係合片２の溝挿入奥部２５の表面側側面２５ａと雌型係合片３の溝挿入奥部３６の表面側側面３６ａが面している。
【００３６】
溝内奥部側面４４の後端には溝内奥端面４５の上端が接している。溝内奥端面４５は表面側１１や裏面側１２と直角な平面と平行な垂直面に形成されている。この溝内奥端面４５には、雄型係合片２の溝挿入奥部２５の後端面２５ｂと雌型係合片３の溝挿入奥部３６の後端面３６が面している。
【００３７】
溝内奥端面４５の下端には裏面側溝内奥部側面４６の後端が接している。裏面側溝内奥部側面４６は裏面側１２と平行な面に形成されている。この裏面側溝内奥部側面４６には、雄型係合片２の溝挿入奥部２５の裏面側側面２５ｃ及び雌型係合片３の溝挿入奥部３６の裏面側側面３６ｃが接している。
【００３８】
裏面側溝内奥部側面４６の前端側には溝内係止凹部４７が形成されている。溝内係止凹部４７は、裏面側１２に向けて例えばＶ字型の溝に形成されている。この溝内係止凹部４７には、雄型係合片２の溝挿入係止部２６と雌型係合片３の溝挿入係止部３７とが係止されて、雄型係合片２や雌型係合片３が装着溝４が簡単に抜け出るのを防いでいる。
【００３９】
溝内係止凹部４７の前部側には裏面側溝内前部側面４８が形成されている。裏面側溝内前部側面４８は裏面側１２と平行な面に形成される共に前記裏面側溝内奥部側面４６と同一平面になるように形成されている。この裏面側溝内前部側面４８には、雄型係合片２の溝挿入部２４の裏面側側面２４ｃと雌型係合片３の溝挿入部３５の裏面側側面３５ｃが接している。
【００４０】
溝前部傾斜面４１の前端位置に対して、裏面側溝内前部側面４８の前端位置は後方側に位置しており、表面側溝内側面４２の中間部位に位置している。このように、表面側１１の表面側接触面１１ａが他方の表面側接触面１１ａに密着しても、裏面側前端面１２ａは他方の裏面側前端面１２ａとの間で裏面側主係合凹部側枠部３３の長さ分だけ隙間が空いていて、雌型係合片３の裏面側主係合凹部側枠部３３は雄型係合片２の裏面側溝前面部２７に当たることがない。
【００４１】
次に、上記考案を実施するための最良の形態の構成に基づく隣設する床板材同士の接合方法及び組み外し方法について以下説明する。
床板材１同士を接合する場合には、床板材１の接合端面側１ａの装着溝４に装着された雌型係合片３に対して、床板材１の接合端面側１ａの装着溝４に装着された雄型係合片２を斜め上方に傾けた状態で接合する。
【００４２】
雄型係合片２の前方に突出する主係合凸部２１の前端面２１ｃを、雌型係合片３の主係合凹部３１の開口する前部側に挿入すると共に、主係合凸部２１の前端面２１ｃが主係合凹部３１の内部に挿入した後、主係合凸部２１を主係合凹部３１の内部に更に挿入しながら、雄型係合片２側の床板材１の傾き状態を徐々に他方の床板材１に近づける。図においては、傾いている雄型係合片２側の床板材１を徐々に水平状態に近づける。
【００４３】
雄型係合片２の主係合凸部２１を雌型係合片３の主係合凹部３１に挿入しながら雄型係合片２側の床板材１が水平状態に近づくと、主係合凹部３１の裏面側主係合凹部側枠部３３はその根元を中心として下側に開くため、雄型係合片２の主係合凸部２１は主係合凹部３１に挿入される。主係合凸部２１の前端面２１ｃが主係合凹部３１の内部奥端面３１ｃに近づくと、雄型係合片２側の表面側接触面１１ａの上端が雌型係合片３の表面側接触面１１ａの上端に接触し、その接触点を中心に雄型係合片２側の床板材１は下向きに回動する。
【００４４】
接触点を中心に雄型係合片２側の床板材１が更に下向きに回動すると、雄型係合片２の主係合凸部２１の後部の下部に形成した副係合凹部２３に、裏面側主係合凹部側枠部３３の上面に形成した副係合凸部３４が裏面側主係合凹部側枠部３３の弾性力によって入り始める。このとき、雄型係合片２の表面側接触部２２の前端面２２ａの上端と雌型係合片３の表面側接触部３２の前端面３２ａの上端とは接触し始める。
【００４５】
そして、雄型係合片２側の床板材１が隣りの床板材１と平行な水平状態になると、主係合凸部２１は主係合凹部３１内に確実に挿入し、裏面側主係合凹部側枠部３３の副係合凸部３４は主係合凸部２１の後部の下部に形成した副係合凹部２３に確実に入り係止される。雄型係合片２側の床板材１の表面側接触面１１ａと雌型係合片３側の床板材１の表面側接触面１１ａとは密着する。また、雄型係合片２の表面側接触部２２の前端面２２ａの上端と雌型係合片３の表面側接触部３２の前端面３２ａの上端とは接触する。
【００４６】
床板材１の雄型係合片２と隣設する床板材１の雌型係合片３とを雌雄係合させると、雄型係合片２側の床板材１の表面側接触面１１ａと雌型係合片３側の床板材１の表面側接触面１１ａとは密着するため、この密着面から水がしみ込むのを防ぐことができる。
【００４７】
また、この接合作業は簡単に行うことができる。即ち、床板材１の雄型係合片２を傾けた状態で他方の床板材１の雌型係合片３に挿入して、傾いている雄型係合片２側の床板材１を他方の床板材１と平行な水平状態に回動させるのみで簡単に隣設する床板材１同士を接合することができる。
【００４８】
さらに、床板材１同士の接合する場合には、接着剤を使用することなく床板材１同士を接合できるため、接合していた床板材１同士も次に述べる方法により組み外すことが容易となる。
【００４９】
続いて、接合した床板材１同士を組み外す場合には、片方の床板材１を接合部分を中心として上向きに少し折り曲げる。片方の床板材１を上向きに少し折り曲げると、雌型係合片３の裏面側主係合凹部側枠部３３が下向きに曲がり、裏面側主係合凹部側枠部３３が下向きに曲がることにより裏面側主係合凹部側枠部３３の前部側が下向きに開く。
【００５０】
裏面側主係合凹部側枠部３３の前部側が下向きに開くことにより、雄型係合片２の副係合凹部２３の内部に係止されていた裏面側主係合凹部側枠部３３の前部側の副係合凸部３４は、副係合凹部２３の内部から抜け始める。また、このとき、雄型係合片２の主係合凸部２１も雌型係合片３の主係合凹部３１から抜け始める。
【００５１】
そして、裏面側主係合凹部側枠部３３の前部側の副係合凸部３４が副係合凹部２３の内部から抜け出ると、雄型係合片２の主係合凸部２１も雌型係合片３の主係合凹部３１から抜け出る。また、密着していた雄型係合片２側の表面側接触面１１ａと雌型係合片３側の表面側接触面１１ａは離れ、同様に接触していた雄型係合片２の表面側接触部２２の前端面２２ａと雌型係合片３の表面側接触部３２の前端面３２ａとは離れる。このようにして、接合していた床板材１同士を簡単に組み外すことができる。
【００５２】
なお、この考案は上記考案を実施するための最良の形態に限定されるものではなく、この考案の精神を逸脱しない範囲で種々の改変をなし得ることは勿論である。
【産業上の利用可能性】
【００５３】
この考案は防水材を表面に塗布していない床板材の用途にも適用可能である。
【図面の簡単な説明】
【００５４】
【図１】この考案を実施するための最良の形態における床板材の接合端面側の装着溝に装着された雄型係合片と雌型係合片の雌雄係合状態を示す断面図である。
【図２】この考案を実施するための最良の形態における床板材の平面図である。
【図３】この考案を実施するための最良の形態における雄型係合片の断面図である。
【図４】この考案を実施するための最良の形態における雌型係合片の断面図である。
【図５】この考案を実施するための最良の形態における床板材の接合端面側に形成された装着溝の断面図である。
【図６】（Ａ）〜（Ｄ）はこの考案を実施するための最良の形態における床板材同士の接合過程を示す断面図である。
【図７】（Ａ）〜（Ｄ）はこの考案を実施するための最良の形態における床板材同士の組み外し過程を示す断面図である。
【符号の説明】
【００５５】
１    床板材
１ａ  接合端面側
１１    表面側
１１ａ  表面側接触面
１２    裏面側
１２ａ  裏面側前端面
２    雄型係合片
２１    主係合凸部
２１ａ  表面側突出側面
２１ｂ  裏面側突出側面
２１ｃ  前端面
２２    表面側接触部
２２ａ  前端面
２２ｂ  傾斜面
２３    副係合凹部
２３ａ  内側前端面
２３ｂ  奥端面
２３ｃ  後部傾斜面
２４    溝挿入部
２４ａ  表面側側面
２４ｂ  傾斜面
２４ｃ  裏面側側面
２５    溝挿入奥部
２５ａ  表面側側面
２５ｂ  後端面
２５ｃ  裏面側側面
２６    溝挿入係止部
２７    裏面側溝前面部
２７ａ  前端面
２７ｂ  先端面
２７ｃ  後端面
３    雌型係合片
３１    主係合凹部
３１ａ  表面側内部側面
３１ｂ  裏面側内部側面
３１ｃ  内部奥端面
３２    表面側接触部
３２ａ  前端面
３２ｂ  傾斜面
３３    裏面側主係合凹部側枠部
３４    副係合凸部
３４ａ  後端面
３４ｂ  凸側面
３４ｃ  前部傾斜面
３５    溝挿入部
３５ａ  表面側側面
３５ｂ  傾斜面
３５ｃ  裏面側側面
３６    溝挿入奥部
３６ａ  表面側側面
３６ｂ  後端面
３６ｃ  裏面側側面
３７    溝挿入係止部
３８    裏面側溝前面部
３８ａ  前端面
３８ｂ  先端面
３８ｃ  後端面
４    装着溝
４１    溝前部傾斜面
４２    表面側溝内側面
４３    溝内傾斜面
４４    溝内奥部側面
４５    溝内奥端面
４６    裏面側溝内奥部側面
４７    溝内係止凹部
４８    裏面側溝内前部側面
【図１】
0003102778.tif 000003
【図２】
0003102778.tif 000004
【図３】
0003102778.tif 000005
【図４】
0003102778.tif 000006
【図５】
0003102778.tif 000007
【図６】
0003102778.tif 000008
【図７】
0003102778.tif 000009